(57)【特許請求の範囲】
【請求項１】
受信されたデジタル放送のデータストリームから、音声符号化データを分離する手段と、
その分離された音声符号化データを復号する手段と、
その復号された音声信号につき、音場、音質または音量を調整する音声処理部と、
番組のジャンル毎に設定された標準設定値の調整用パラメータが登録される第１の領域と、操作部に対する操作により前記標準設定値の調整用パラメータが調整された状態の前記標準設定値の調整用パラメータが、ユーザ設定値の調整用パラメータとして、前記番組の名称に対応づけて登録される第２の領域とを有するメモリと、
前記第２の領域に、受信された番組の名称に対応する前記ユーザ設定値の調整用パラメータが登録されているときには、前記ユーザ設定値の調整用パラメータによって、前記音声処理部を制御し、前記第２の領域に受信された前記番組の名称に対応する前記ユーザ設定値の調整用パラメータが登録されていないときには、前記第１の領域に登録された受信された前記番組のジャンルに対応する前記標準設定値の調整用パラメータによって前記音声処理部を制御する制御部と、
を備えるデジタル放送受信装置。
【発明の詳細な説明】
【０００１】
【発明の属する技術分野】
この発明は、デジタル放送受信装置の、特に音場、音質または音量の調整制御に関する。
【０００２】
【従来の技術】
テレビジョン受信機などの受信機で、音場や音質のモードとして複数のモードを備え、ユーザが、そのうちから好みのモードを選択することができ、さらにはモードの調整も可能なものが考えられている。
【０００３】
【発明が解決しようとする課題】
しかしながら、この場合、ユーザは、出力されている音を聴きながら、モードを選択し、調整するので、経験の少ない多くのユーザにとっては、最適な音場や音質に設定することが難しいとともに、編成チャンネルや番組内容が変わるたびに、モードを設定し直す必要があるので、煩わしいという欠点がある。
【０００４】
特にデジタル放送では、音声多チャンネル伝送などによって高度な音場情報を伝送することができるので、受信側で、それに適応した音場を簡易に設定できることが望まれる。
【０００５】
そこで、この発明は、デジタル放送受信装置において、編成チャンネルや番組内容などに応じて音場や音質などを簡単に調整することができるようにしたものである。
【０００６】
【課題を解決するための手段】
【０００７】
また、この発明では、
受信されたデジタル放送のデータストリームから、音声符号化データを分離する手段と、
その分離された音声符号化データを復号する手段と、
その復号された音声信号につき、音場、音質または音量を調整する音声処理部と、
番組のジャンル毎に設定された標準設定値の調整用パラメータが登録される第１の領域と、操作部に対する操作により前記標準設定値の調整用パラメータが調整された状態の前記標準設定値の調整用パラメータが、ユーザ設定値の調整用パラメータとして、前記番組の名称に対応づけて登録される第２の領域とを有するメモリと、
前記第２の領域に、受信された番組の名称に対応する前記ユーザ設定値の調整用パラメータが登録されているときには、前記ユーザ設定値の調整用パラメータによって、前記音声処理部を制御し、前記第２の領域に受信された前記番組の名称に対応する前記ユーザ設定値の調整用パラメータが登録されていないときには、前記第１の領域に登録された受信された前記番組のジャンルに対応する前記標準設定値の調整用パラメータによって前記音声処理部を制御する制御部と、を設ける。
【０００８】
上記のように構成した、この発明のデジタル放送受信装置においては、ユーザによる調整操作を全く必要としないで、あるいはユーザは装置の制御部による音声処理部の制御を調整する程度の簡単な操作を行うだけで、編成チャンネルや番組内容などに応じて音場や音質などが調整される。
【０００９】
【発明の実施の形態】
〔装置の一実施形態の概要…図１、図２〕
図１は、この発明のデジタル放送受信装置の一実施形態を示し、ＢＳ／ＣＳデジタル放送を受信できる装置の場合である。
【００１０】
ＢＳ／ＣＳコンバータを含むパラボラアンテナ１で受信され、ＩＦ信号に変換されたデジタル放送信号は、ＩＦデモジュレータ（フロントエンド部）２で復調されて、ＭＰＥＧ（Ｍｏｖｉｎｇ  Ｐｉｃｔｕｒｅ  Ｅｘｐｅｒｔｓ  Ｇｒｏｕｐ）ＳｙｓｔｅｍｓのＴＳ（Ｔｒａｎｓｐｏｒｔ  Ｓｔｒｅａｍ）として、ＩＦデモジュレータ２から出力される。
【００１１】
このＴＳは、デマルチプレクサ３に供給され、デマルチプレクサ３において、ＴＳに含まれるＰＳＩ（Ｐｒｏｇｒａｍ  Ｓｐｅｃｉｆｉｃ  Ｉｎｆｏｒｍａｔｉｏｎ）／ＳＩ（Ｓｅｒｖｉｃｅ  Ｉｎｆｏｒｍａｔｉｏｎ）によって、ＴＳパケットが解析されて、ＴＳの多重化されたデータから、目的の番組の映像、音声の各ＥＳ（Ｅｌｅｍｅｎｔａｒｙ  Ｓｔｒｅａｍ）が分離され、それぞれ映像ＰＥＳ（Ｐａｃｋｅｔｉｚｅｄ  Ｅｌｅｍｅｎｔａｒｙ  Ｓｔｒｅａｍ）、音声ＰＥＳとして、デマルチプレクサ３から出力される。ただし、映像系は、この発明と直接の関係がないので、省略する。
【００１２】
ＰＳＩ／ＳＩには、編成チャンネルの名称、情報、番組の名称、放送日時、放送内容、現在の日付時刻などが含まれる。
【００１３】
デマルチプレクサ３で分離された音声ＰＥＳの符号化データは、オーディオデコーダ４で復号されて、２〜５．１チャンネル（５．１チャンネルは、ＤｏｌｂｙＡＣ−３による、前方３チャンネル、後方２チャンネル（Ｓｕｒｒｏｕｎｄ  Ｌｅｆｔ，Ｓｕｒｒｏｕｎｄ  Ｒｉｇｈｔ）の５チャンネルに、低音補強チャンネル（Ｓｕｂ  Ｗｏｏｆｅｒ）を加えたもの）のアナログ音声信号として、オーディオデコーダ４から出力される。
【００１４】
このオーディオデコーダ４からの音声信号については、サラウンドプロセッサ５において、システムコントローラ１０からの制御信号によって、後述のように音場が調整される。
【００１５】
さらに、サラウンドプロセッサ５からの音声信号については、オーディオプロセッサ６において、システムコントローラ１０からの制御信号によって、周波数特性の補正などの音質調整、およびダイナミクスの補正などの音量調整が実行される。
【００１６】
オーディオプロセッサ６からの音声信号は、オーディオアンプ７によって増幅されて、スピーカ８に供給され、スピーカ８から音声が出力される。
【００１７】
なお、この例では、外部機器からのＴＳが、高速のデジタルインタフェース回路９を介してデマルチプレクサ３３に供給されて、デジタル放送の受信の場合と同様に音声が出力される。
【００１８】
システムコントローラ１０は、ＣＰＵ１１を有し、そのバス１２に、ＣＰＵ１１が実行すべきプログラムや固定データなどが書き込まれたＲＯＭ１３、およびＣＰＵ１１のワークエリアなどとして機能するＲＡＭ１４が接続される。
【００１９】
また、バス１２には、インタフェース回路１５を介して、リモートコントローラなどの操作部２１が接続されるとともに、表示制御回路１６を介して、液晶ディスプレイなどの表示部２２が接続される。操作部２１および表示部２２は、ユーザインタフェース部２０を構成する。
【００２０】
さらに、バス１２には、メモリ３０が接続される。メモリ３０は、標準設定エリア３１とユーザ設定エリア３２とに分けられ、標準設定エリア３１には、あらかじめ装置の製造者によって、音場、音質、音量の調整用の標準設定値のパラメータが、チャンネルや番組ごとにパラメータセットとして書き込まれる。ユーザ設定エリア３２には、後述のように、ユーザの調整操作にもとづいて、システムコントローラ１０によって、音場、音質、音量の調整用のユーザ設定値のパラメータセットが書き込まれる。
【００２１】
デマルチプレクサ３は、ＴＳ中のＰＳＩ／ＳＩ、具体的にはＰＡＴ（Ｐｒｏｇｒａｍ  Ａｓｓｏｃｉａｔｉｏｎ  Ｔａｂｌｅ），ＮＩＴ（Ｎｅｔｗｏｒｋ  Ｉｎｆｏｒｍａｔｉｏｎ  Ｔａｂｌｅ），ＰＭＴ（Ｐｒｏｇｒａｍ  Ｍａｐ  Ｔａｂｌｅ）を用いて、図２に示すような選局処理ルーチンによって、選局を行う。
【００２２】
すなわち、図２の選局処理ルーチン４０では、ユーザが操作部２１でチャンネルを選択することによって選局処理を開始して、まずステップ４１で、現在受信しているトランスポンダのＰＡＴを読み込み、次にステップ４２で、そのＰＡＴ内のプログラム番号に当該チャンネル番号が含まれているか否かを判断する。
【００２３】
そして、受信中のＴＳに当該チャンネル番号が含まれていない場合には、ステップ４２からステップ４３に進んで、ＰＡＴ内で認識したネットワークＰＩＤ（Ｐａｃｋｅｔ  Ｉｄｅｎｔｉｆｉｅｒ）によってＮＩＴを読み込んで、当該チャンネル番号が含まれるトランスポンダを認識した後、受信トランスポンダを変更し、さらにステップ４４に進んで、新たに受信したトランスポンダのＰＡＴを読み込んだ上で、ステップ４５に進む。
【００２４】
ステップ４２で、受信中のＴＳに当該チャンネル番号が含まれていると判断した場合には、ステップ４２から直接、ステップ４５に進む。
【００２５】
ステップ４５では、ＰＡＴ内の情報から、当該チャンネル番号のＰＭＴを受信し、次にステップ４６で、そのＰＭＴ内の情報から、当該チャンネル番号の映像や音声のエレメンタリごとにエレメンタリＰＩＤを認識して、エレメンタリＰＩＤと一致するＰＩＤを有するＴＳパケットを分離し、次にステップ４７で、その分離したＴＳパケットを各デコーダに出力する。
【００２６】
〔音場調整および音質音量調整…図１、図３〕
図１の例のデジタル放送受信装置では、選局時にデマルチプレクサ３からシステムコントローラ１０に取り込まれるＰＳＩ／ＳＩの情報によって、サラウンドプロセッサ５における音場調整、およびオーディオプロセッサ６における音質音量調整が、編成チャンネルや番組内容などに応じて制御される。
【００２７】
ＰＳＩ／ＳＩの情報としては、上述した編成チャンネルの名称、情報、番組の名称、放送日時、放送内容、現在の日付時刻などが用いられる。
【００２８】
システムコントローラ１０は、デマルチプレクサ３からＰＳＩ／ＳＩを受け取ると、メモリ３０の標準設定エリア３１から、対応するパラメータセットを読み出し、そのパラメータセットによって、サラウンドプロセッサ５における音場調整、およびオーディオプロセッサ６における音質音量調整を制御する。
【００２９】
（各種のプログラムの場合の音場調整および音質音量調整）
（１）ニュースなど、人の話しが中心のプログラムの場合
この場合には、明瞭度を優先させて人の声の帯域（１５０Ｈｚ〜４ｋＨｚ）以外をカットするとともに、明瞭度に大きな影響を与える２〜４ｋＨｚのレベルを持ち上げるような音質調整用パラメータによって、オーディオプロセッサ６における音質調整が制御される。
【００３０】
また、深夜など、音量を絞る必要がある時間には、ダイナミックレンジを圧縮し、音量の変動を抑えることによって、アナウンスなどの会話内容を聴き取り易くするような音量調整用パラメータによって、オーディオプロセッサ６における音量調整が制御される。
【００３１】
（２）映画など、サラウンド収録されたプログラムの場合
この場合には、再生チャンネル数など、収録時に意図した再生条件をできるだけ正確に再現するような音場調整用パラメータによって、サラウンドプロセッサ５における音場調整が制御される。
【００３２】
しかし、再生側の都合によってスピーカの設置本数が制限される場合には、疑似サラウンド処理により、例えば正面側のスピーカのみによっても十分な囲繞感が得られるような音場調整用パラメータによって、サラウンドプロセッサ５における音場調整が制御される。
【００３３】
ユーザが、あらかじめ、または選局の都度、操作部２１でユーザ側の再生条件を指示することによって、システムコントローラ１０は、ユーザ側の再生条件に適合した音場調整用パラメータを読み出し、サラウンドプロセッサ５にユーザ側の再生条件に適合した音場調整を行わせる。
【００３４】
（３）音楽などのプログラムの場合
放送される音楽のジャンルが特定できる場合には、例えば、クラシック音楽では周波数特性をフラットにし、ポップスやロックなどでは低域および高域を若干強調し、クラブサウンドなどでは低域をより強調するなど、ジャンルに応じて周波数特性を補正する音質調整用パラメータによって、オーディオプロセッサ６における音質調整が制御される。
【００３５】
また、コンサートなど、ライブ収録された音源の場合には、スタジオ、ライブハウス、スモールホール、ラージホール、アリーナ、スタジアムなど、収録された会場の種類に適合したサラウンドモードに設定することにより、よりリアルな臨場感を実現するような音場調整用パラメータによって、サラウンドプロセッサ５における音場調整が制御される。
【００３６】
（４）スポーツなどのプログラムの場合
野球場やサッカー場などで収録された野球やサッカーなどのプログラムでは、サラウンドモードのスタジアムモードなどに設定することにより、臨場感のある再現を実現する音場調整用パラメータによって、サラウンドプロセッサ５における音場調整が制御される。
【００３７】
（ユーザによる選択、調整、登録）
この例では、標準設定値のパラメータセットは、ＰＳＩ／ＳＩの情報から選択されるだけでなく、ユーザが操作部２１での選択操作によって選択できるようにする。
【００３８】
例えば、標準設定値のパラメータセットとして、あらかじめ番組のジャンルごとのパラメータセットも、標準設定エリア３１に書き込まれるようにする。これによって、ユーザが操作部２１で受信中の番組のジャンルを指示したとき、システムコントローラ１０は、指示されたジャンルに対応するパラメータセットを標準設定エリア３１から読み出し、そのパラメータセットによって音場調整および音質音量調整を制御する。
【００３９】
これによれば、ユーザは、簡単な操作によって、番組のジャンルごとに最適な音場、音質、音量で、番組を聴くことができる。
【００４０】
さらに、この例では、ユーザが操作部２１での調整操作によって、標準設定エリア３１から読み出されたパラメータセットによる調整状態を変更できるようにする。この場合、システムコントローラ１０は、操作部２１での調整操作に応じて、標準設定エリア３１から読み出したパラメータセットを補正し、サラウンドプロセッサ５およびオーディオプロセッサ６の制御を調整する。
【００４１】
これによれば、ユーザは、簡単な操作によって、自分の条件や好み、番組の内容に合った、音場、音質、音量を得ることができる。
【００４２】
さらに、この例では、そのユーザによる調整後のパラメータセットを、メモリ３０に登録できるようにする。この場合、システムコントローラ１０は、操作部２１でのユーザの登録操作によって、ユーザによる調整後のパラメータを、番組の名称と対応づけて、ユーザ設定値のパラメータセットとして、メモリ３０のユーザ設定エリア３２に書き込む。
【００４３】
このようにユーザ設定値のパラメータセットがユーザ設定エリア３２に登録される場合には、システムコントローラ１０は、図３に示すような調整処理ルーチンによって、サラウンドプロセッサ５における音場調整、およびオーディオプロセッサ６における音質音量調整を制御する。
【００４４】
すなわち、図３の調整処理ルーチン５０では、デマルチプレクサ３からＰＳＩ／ＳＩを受け取って調整処理を開始して、まずステップ５１で、ＰＳＩ／ＳＩを解析し、次にステップ５２で、ユーザ設定エリア３２に、対応するパラメータセットが存在するか否かを判断し、存在する場合には、ステップ５２からステップ５３に進んで、ユーザ設定エリア３２から、対応するパラメータセットを読み込み、さらにステップ５４に進んで、そのパラメータセットによって音場調整および音質音量調整を制御する。
【００４５】
ユーザ設定エリア３２に、対応するパラメータセットが存在しない場合には、ステップ５２からステップ５５に進んで、標準設定エリア３１から、対応するパラメータセットを読み込み、さらにステップ５５に進んで、そのパラメータセットによって音場調整および音質音量調整を制御する。
【００４６】
これによれば、ユーザは一度、調整して調整値を記憶させれば、以後、同じ番組を受信する際には、何ら操作を要することなく自動的に、自分の条件や好み、番組の内容に合った、音場、音質、音量を得ることができる。
【００４７】
【発明の効果】
上述したように、この発明によれば、ユーザによる調整操作を全く必要としないで、あるいはユーザは装置の制御部による音声処理部の制御を調整する程度の簡単な操作を行うだけで、編成チャンネルや番組内容などに応じて音場や音質などを調整することができる。
【図面の簡単な説明】
【図１】この発明のデジタル放送受信装置の一実施形態を示す図である。
【図２】デマルチプレクサが行う選局処理ルーチンの一例を示す図である。
【図３】システムコントローラが行う調整処理ルーチンの一例を示す図である。
【符号の説明】
主要部については図中に全て記述したので、ここでは省略する。
【図１】
0004507360.tif 000002
【図２】
0004507360.tif 000003
【図３】
0004507360.tif 000004